(57)【要約】【課題】反射材や蓄光素材、蛍光素材などある中から、交通安全に効果的な反射材を選択することは分かりにくかったが、知識が少ない人でも容易に最適な反射材を見分けるための教習用反射材識別パネルセットを提供する。【解決手段】一定の大きさのパネル２面に表示した複数個の人形図形３のいずれかに反射材４を貼り付け、残りの人形図形３には、反射材と同色系のシート素材５、反射材と同色系の蛍光素材６、反射材と似ている素材７、薄暗い色の素材８、明るい色の素材９、ホログラム素材１１、蓄光素材１２、蛍光素材１３など、異なるいずれかの素材をそれぞれ個別に貼り付けた反射材識別パネル１に別途のライト１７を組み合わせた構成。【選択図】  図１
2004246309.tif 000002
【特許請求の範囲】
【請求項１】
一定の大きさのパネル面に任意の図形を複数個表示したいずれかに反射材を貼り付け、残りの図形には、反射材と同系色のシート素材、反射材と同系色の蛍光素材、反射材と似ている素材、薄暗い色の素材、明るい色の素材、ホログラム素材、蓄光素材、蛍光素材など異なるいずれかの素材を個別に貼り付けた構成を特徴とする教習用反射材識別パネルセット。
【請求項２】
表示する図形の配置が、パネル上部に４個表示し、下部に６個表示して成る前記４個の図形それぞれに、反射材、反射材と同系色のシート素材、反射材と同系色の蛍光素材、反射材と似ている素材を個別に貼り付け、さらに下部６個の図形の一方側の３個には、薄暗い色の素材、明るい色の素材、反射材を、残り３個にはホログラム素材、蓄光素材、蛍光素材それぞれを個別に貼り付けて成る請求項１に記載する教習用反射材識別パネルセット。
【請求項３】
投光により反射材を視認することができるライトを組み合わせて成る請求項１又は請求項２に記載する教習用反射材識別パネルセット。
【請求項４】
反射材の知識や効果、選び方など表示した反射材テキストを組み合わせて成る請求項１〜請求項３のいずれかに記載する教習用反射材識別パネルセット。
【発明の詳細な説明】
【０００１】
【発明の属する技術分野】
本発明は、交通安全に効果のある反射材を、知識が浅い者でも容易にして的確に見分けるための教習用反射材識別パネルセットに関する。
【０００２】
【従来の技術】
従来より、交通事故から身を守るために、自転車をはじめとして、衣服や持ち物などに貼り付ける様々な反射材が提供されている。それらの反射材の主たるものとしては、自動車のヘッドライトに対して反射効果が最も高い再帰性の反射材があり、また、その再帰性反射材においても二つのタイプがある。ひとつはマイクロプリズムシートタイプであり、この反射材は加工のし易さからアクセサリーや小物、衣服など身に付ける物に使用されることが多く、高い反射輝度はもとよりしなやかな素材で扱い易く、雨に濡れても反射効果が変わらない身の回りの交通安全に最も適した反射材である。
【０００３】
もうひとつの再帰性反射材はガラスビーズシートタイプであり、この反射材は極微小のガラスビーズをシートや板材の表面に付着させたビーズが露出するタイプである。この反射材は前記のタイプより反射輝度のバラつきや雨や汚れで輝度が落ちたり加工性が低い点があるが、風雨や日光、熱などに強いので、道路や工事現場をはじめとする交通標識等に効果のある反射材として用いられ、それぞれ目的や用途に応じて使い分けされている。
【０００４】
またこれ以外にも反射材やそれに似たものがあるが、これらは反射材と間違えられて使われることがあり、その素材としては蓄光素材や夜光塗料などの発光素材、またこれに類する蛍光素材なども反射材のひとつとして使用している人も意外多く、販売者側においても反射材に関する正確な知識を有しないまま販売している所もかなりある。
【０００５】
【発明が解決しようとする課題】
以上のような反射材やそれに類する発光素材や発色素材が提供されており、それぞれ用途に応じて適切な使い方をすれば目的とする一定の効果を十分得られている。しかし様々な反射材や発光及び発色素材が提供されているが、用途や目的に応じた適切な反射材や発光素材を選択するについては、見た目やカタログの説明だけではなかなか分かりにくいのが現状であり、少なからず間違った反射材や発光素材を選択して、素材が持つ本来の効果を十分に発揮し得ないまま使っていることが多い。とりわけ交通安全に効果的な再帰性の反射材においては、子供はもとより大人においても正確な知識を持って選択している人は極めて少ないし、また販売をしている側も正確な知識をもって提供している所は少ない。
【０００６】
その理由としては、再帰性反射材はもとより蓄光素材や蛍光素材や発色素材の中には、色彩や感触の素材が反射材と似たものが数多く提供されているため、一見しただけでは交通安全に効果の高い再帰性反射材かそうでないかが分かりにくいのが現状である。また、これらの商品には説明も表示されているが、狭いスペースに小さな文字で簡単に記されているため分かりにくく、他の反射材や蓄光素材や蛍光素材との比較が実感できない。できれば類似する素材に光を当てて確認したうえで高輝度な再帰性反射材を購入できればよいが、実際面においてはそのような販売システムはないため、ユーザー自身が選択して購入しているのが現状であり、また販売者側も正確な知識を持っていないことも多いため、目的とする交通安全に最適な反射材をユーザーに伝えることができないなどの不便や欠点があった。
【０００７】
加えて、交通安全に用いられる効果的な再帰性反射材に関する知識や情報を提供する教育や講習の場もなく、また反射材かそうでないかを実感として知る具体的な機器や用具なども提供されていないし、それに関する技術なども公知公開されていないのも現実であり、効果的な反射材を一般人でも容易に知ることができる方法が求められている。
【０００８】
【課題を解決するための手段】
本発明は以上のように適切な反射材を選択するについての不便や欠点を解消するために、だれでも容易に交通安全に適した再帰性反射材（以下、反射材と称する）の反射効果や輝度の高さを視認することができる反射材識別パネルセットを構成する。
【０００９】
請求項１においては、一定の大きさのパネル面に複数個の人形図形を表示したいずれかに反射材を貼り付け、残りの人形図形には、反射材と同系色のシート素材、反射材と同系色の蛍光素材、反射材と似ている素材、薄暗い色の素材、明るい色の素材、ホログラム素材、蓄光素材、蛍光素材など異なるいずれかの素材をそれぞれ個別に貼り付けた教習用の反射材識別パネルセットを構成する。
【００１０】
請求項２は、上記に示した反射材識別パネルの人形図形の配置が、パネル上部に４個表示し、下部に６個表示して成る前記４個の人形図形それぞれに、反射材、反射材と同系色のシート素材、反射材と同系色の蛍光素材、反射材と似ている素材を個別に貼り付け、さらに下部６個の人形図形の一方側の３個には、薄暗い色の素材、明るい色の素材、反射材を、残り３個にはホログラム素材、蓄光素材、蛍光素材をそれぞれを個別に貼り付けた構成とする。
【００１１】
請求項３においては、上記の請求項１又は請求項２の反射材識別パネル面に投光することにより、反射材を速やかにして的確かつ容易に視認することができるライトを組み合わせた構成とする。
【００１２】
請求項４は、上記の反射材識別パネル及びライトに、さらに交通安全に効果的な反射材の知識や効果、選び方などが分かる反射材テキストを組み合わせた構成とする。
【００１３】
【発明の実施の形態】
次に、本発明における実施の形態を、図１の反射材識別パネルを示す斜視図と図２のライト投光時の反射状態を示す使用例図を参照して説明する。
まず、この発明における反射材識別パネルは１は、縦約６０ｃｍで横４０ｃｍ程度の大きさのパネル２面上部に、頭と胴部を模した人形図形３を横並びに４個表示し、その下部には前記より一回り小さい人形図形３を３個表示し、一区切り置いてさらに３個、計６個横並びに表示する。
【００１４】
以上のように表示した各人形図形３おいて、前記した上部４個の人形図形３には、輝度が最も高い再帰性の反射材４、反射材と同系色のシート素材５、反射材と同系色の蛍光素材６、反射材と似ている素材７を帯状にカットした各素材を上部４個の人形図形３の胸部分にタスキ掛け状に個別にそれぞれ貼り付ける。
【００１５】
次に、下部６個の人形図形３においては、まず一方側３個の人形図形３には薄暗い色の素材８、明るい色の素材９、反射材４を人形図形３の胴部分に貼り付け、さらに隣に位置する３個の人形図形３には、反射材とよく間違われる素材１０と表記して、ホログラム素材１１、蓄光素材１２、蛍光素材１３それぞれを個別に人形図形３の胴部に貼り付ける。
【００１６】
さらに以上のように形成して成るパネル２の上部余白部には、どちらが反射？！などのタイトル文字１４を表示し、他方の下部余白部には、優良反射材を選びましょう。などの交通安全に寄与する反射材推奨標語１５を表示して成るパネル２上部に、フックに掛けられる吊り具１６を取り付けた反射材識別パネル１本体を形成する。
【００１７】
加えて前記した反射材識別パネル１には、図２に示すような専用のライト１７を組み合わせる。このライト１７は自動車等に用いられるのと同じ強力なハロゲンランプを採用したライト１７がスタンド１８上部に固定され、さらにそのライト１７後部には、自動車のフロントガラス枠に似せた案内枠１９を取り付けたライト１７を、前記反射材識別パネル１に組み合わせる。
【００１８】
以上のような反射材識別パネル１とライト１７を一組とするものを基本構成とするが、さらに図示していないが、交通安全に適した反射材の知識や効果、選び方など表示した反射材テキストをセットして、本発明の教習用の反射材識別パネルセットを構成する。
【００１９】
この教習用反射材識別パネルセットを使用する際は、図２に示すように反射材識別パネル１を壁面に掛け吊りしたうえで、ライト１７を点灯して反射材識別パネル１面に投光Ａしてから案内枠１９から反射材識別パネル１を見ると、反射材４と似た素材や間違われる素材を数多く貼り付けた中から反射材４を貼り付けた人形図形３のみが反射発光するため、一目で高輝度な反射材を子供はもとよりだれでも容易に実感として視認することができる。
【００２０】
本発明は以上のような構成としているが、反射材４を含む様々な素材を貼り付けた各人形図形３は一定の位置と順番に図示しているが、この配置は任意で構わない。また図示していないが、人形図形３の近くに素材名を記してもよい。さらに人形図形３に取り付ける素材は貼り付けているが、磁石で取り付ける方法でも構わない。またライト１７は専用であるが懐中電灯を用いても差し支えない。加えて各種の素材を貼り付ける部位には、人を模した人形図形３は人間を意識させるので好ましいが、これにこだわらず単に丸や四角など任意の図形であっても差し支えないものであり、いずれも特に限定するものではない。
【００２１】
【発明の効果】
本発明は以上のような教習用反射材識別パネルセットを構成するので、次に示すような特徴や効果を提供する。
この発明における反射材識別パネルセットは、適度な大きさの一枚のパネル面に複数個表示した人形図形に、反射材と似た素材や間違われる素材など様々な素材を貼り付けており、一見しただけではどれが交通安全に最も効果のある反射材か分かりにくいが、セットされるライトを反射材識別パネル面に投光することにより、反射材を貼り付けた人形図形のみが鮮やかに反射発光するため、子供はもとより知識の少ない人、高齢者でも、実感として反射材を容易に視認することが可能な反射材識別パネルセットである。
【００２２】
加えて、交通安全に適した反射材に関する情報を載せたテキストもセットされるので、反射材を使うことが多い子供や親に対する集団教育や講習には好適であり、またドライバーの交通安全講習にも採用できるため、歩行者はもとより自転車に乗る人、ドライバーいずれの人にも交通安全意識を高めることができる、従来には見られない効果的な教習用反射材識別パネルセットを提供する。
【図面の簡単な説明】
【図１】本発明の反射材識別パネルを示す斜視図である。
【図２】反射材識別パネルにライトを投光した状態を示す使用例図である。
【符号の説明】
１・・反射材識別パネル
２・・パネル
３・・人形図形
４・・反射材
５・・反射材と同系色のシート材
６・・反射材と同系色の蛍光素材
７・・反射材と似ている素材
８・・薄暗い色の素材
９・・明るい色の素材
１０・・反射材と間違えられる素材
１１・・ホログラム素材
１２・・蓄光素材
１３・・蛍光素材
１４・・タイトル文字
１５・・反射材推奨標語
１６・・吊り具
１７・・ライト
１８・・スタンド
１９・・案内枠
Ａ・・投光
【図１】
2004246309.tif 000003
【図２】
2004246309.tif 000004